(57)【要約】【課題】装置全体の小型化及び省電力化を図りつつ、ＩＣ接点が破壊されることを回避し、かつ、アクチュエータの取り付け位置を精密に調整しなくともアクチュエータの駆動力を十分に確保し得るＩＣ接点ユニット、ＩＣカード処理装置及び自動取引装置を提案する。【解決手段】ＩＣ接点ユニットにおいて、第１の接点端子台と、第２の接点端子台と、弾性部材と、端子台押下部とを備え、第１の接点端子台は、第１のリンク部と、第２のリンク部とを備え、第２の接点端子台は、接点ピンと、爪部と、張架部材とを備え、弾性部材は、張架部材を介して第２の接点端子台に引っ張り力を付勢し、端子台押下部は、第１のアームと、第２のアームと、圧縮ばねとを備え、圧縮ばねは、第２のアームの回転動作が停止するまでは第１のアームの回転動作を第２のアームに伝達し、第２のアームの回転動作が停止した後は第１のアームの回転動作を吸収して収縮することを特徴とする。
2016163145.tif 000002
【特許請求の範囲】
【請求項１】
ＩＣカードに対してデータを読み書きするＩＣ接点ユニットにおいて、
第１の接点端子台と、第２の接点端子台と、弾性部材と、端子台押下部とを備え、
前記第１の接点端子台は、
前記第１の接点端子台が回転動作する際の回転軸となる第１のリンク部と、
前記第２の接点端子台を回転可能に接続する第２のリンク部とを備え、
前記第２の接点端子台は、
前記第２のリンク部により前記第１の接点端子台と回転可能に接続されており、
前記ＩＣカードの端子に接触する接点ピンと、
前記ＩＣカードを係止する爪部と、
前記弾性部材が張架される張架部材とを備え、
前記弾性部材は、
前記張架部材を介して前記第２の接点端子台に引っ張り力を付勢し、
前記端子台押下部は、
アクチュエータによりプランジャが吸引されると、
前記プランジャの吸引動作に伴い回転動作する第１のアームと、
前記第１のアームの回転動作に伴い回転動作し、前記第１の接点端子台を押下する第２のアームと、
前記第１のアームと前記第２のアームとを接続する圧縮ばねとを備え、
前記圧縮ばねは、
前記第２のアームが前記第１の接点端子台を押下してから回転動作が停止するまでは前記第１のアームの回転動作を前記第２のアームに伝達し、前記第２のアームの回転動作が停止した後は前記第１のアームの回転動作を吸収して収縮する
ことを特徴とするＩＣ接点ユニット。
【請求項２】
前記第１の接点端子台は、
中央部に前記第２の接点端子台を設置する設置領域が形成されており、
一端に前記第１のリンク部が形成されており、
他端に前記第２のリンク部が形成されており、
前記ＩＣカードが搬送ラインに沿って搬送されてくると、前記第１のリンク部を回転軸として回転動作し、回転動作に伴って、前記第２のリンク部により前記第２の接点端子台を同方向に回転動作させる
ことを特徴とする請求項１に記載のＩＣ接点ユニット。
【請求項３】
前記第２の接点端子台は、
中央部に前記接点ピンが設置されており、
一端に前記爪部が形成されており、
他端に前記張架部材が形成されており、
前記ＩＣカードが搬送ラインに沿って搬送されてくると、前記第１の接点端子台の回転動作に伴って、前記張架部材に前記弾性部材が張架された状態のまま、前記爪部が前記搬送ラインよりも上方の位置から前記搬送ラインよりも下方の位置に移動する
ことを特徴とする請求項２に記載のＩＣ接点ユニット。
【請求項４】
前記弾性部材は、
前記第１の接点端子台が回転動作した後のＩＣカード係止時において、前記接点ピンが前記搬送ラインよりも一定の距離だけ上方に位置するように、前記第２の接点端子台に対して前記引っ張り力を付勢する
ことを特徴とする請求項３に記載のＩＣ接点ユニット。
【請求項５】
前記第１の接点端子台は、
前記第２の接点端子台が所定の距離だけ搬送方向に移動することに伴って、所定の距離だけ搬送方向に移動する
ことを特徴とする請求項４に記載のＩＣ接点ユニット。
【請求項６】
前記第２の接点端子台は、
前記搬送方向に沿って搬送されてきたＩＣカードの端部を前記爪部により係止すると、前記張架部材に前記弾性部材が張架された状態のまま、所定の距離だけ搬送方向に移動する
ことを特徴とする請求項５に記載のＩＣ接点ユニット。
【請求項７】
前記第２の接点端子台は、
案内軸が形成されており、
前記所定の距離だけ搬送方向に移動する際、前記案内軸がガイドローラに沿って案内されることにより、前記弾性部材により付勢されている前記引っ張り力に抗って、前記接点ピンを前記ＩＣカードの端子に押圧する
ことを特徴とする請求項６に記載のＩＣ接点ユニット。
【請求項８】
前記端子台押下部は、
前記第２のアームの端部に押圧ローラを備え、前記第１の接点端子台を押下する際、前記押圧ローラを回転させながら前記第１の接点端子台を押下する
ことを特徴とする請求項７に記載のＩＣ接点ユニット。
【請求項９】
請求項１〜請求項８の何れか一項に記載の前記ＩＣ接点ユニットを備える
ことを特徴とするＩＣカード処理装置。
【請求項１０】
請求項９に記載の前記ＩＣカード処理装置を備える
ことを特徴とする自動取引装置。
【発明の詳細な説明】
【技術分野】
【０００１】
本発明は、ＩＣ接点ユニット、ＩＣカード処理装置及び自動取引装置に関し、特にＩＣカードの搬送力を利用して、ＩＣカード側の端子にＩＣ接点ユニット側の端子を押圧して接触させる構造を有するＩＣ接点ユニット、ＩＣカード処理装置及び自動取引装置に適用して好適なものである。
【背景技術】
【０００２】
一般に現金自動預金支払機等の自動取引装置においては、ＩＣ接点ユニットを備えたＩＣカード処理装置を内部に備えて構成される。ＩＣカード処理装置は、ＩＣカードを読み書き可能な位置まで搬送し、ＩＣ接点ユニットによりＩＣカードに記録されている取引データ等の可変データを読み書きする。可変データの読み書きの際には、ＩＣカード側の端子と、ＩＣ接点ユニット側の端子とを接触させる必要がある。接触箇所の構成については、例えば下記の特許文献１に開示されている。【０００３】
特許文献１には、ＩＣカードの搬送力を利用して、ＩＣカード側の端子にＩＣ接点ユニット側の端子を押圧して接触させるＩＣ接点ユニットが開示されている。具体的にはＩＣ接点ユニットは、ＩＣ接点及び爪部材を備える可動台と、可動台を案内するガイド部と、可動台の爪部材をＩＣカードの搬送面よりも後退した待機位置又はＩＣカードの搬送力を受ける突出位置に移動させるアクチュエータとを備え、ガイド部は、アクチュエータにより突出位置に移動させられた爪部材がＩＣカードの搬送力を受けて移動する際、爪部材の移動に伴い可動台をＩＣカードの搬送方向に対して水平方向に案内することを特徴としたＩＣ接点ユニットの構造が開示されている。【０００４】
この特許文献１によれば、ＩＣカードの搬送力を利用して、ＩＣカード側の端子とＩＣ接点ユニット側の端子とを接触させるようにしたので、アクチュエータは可動台の爪部材をＩＣカードの搬送力を受ける突出位置に移動させる程度の駆動力をもった小型のものでよく、装置全体の小型化及び消費電力の低減を図ることができるとしている。
【先行技術文献】
【特許文献】
【０００５】
【特許文献１】特許第３６８３４８９号公報
【発明の概要】
【発明が解決しようとする課題】
【０００６】
しかし、特許文献１に記載された構造では、爪部材がＩＣカードの搬送力を受ける突出位置に移動すると、可動台が備えるＩＣ接点と、ＩＣカードの搬送面との間の距離が極めて小さくなる。このとき、搬送されるＩＣカードに反り上がり、歪み又は割れ等の異常部分があると、異常部分がＩＣ接点に干渉し、ＩＣ接点を破壊してしまうという課題がある。【０００７】
また小型のアクチュエータを採用しているため、十分な駆動力を確保するためにアクチュエータの取り付け位置を精密に調整する必要があり、煩雑な作業が必要になるという課題がある。アクチュエータの取り付け位置に不備があると、可動台の爪部材を突出位置に適切に移動させることができず、ＩＣカードの搬送力を利用してＩＣカード側の端子とＩＣ接点ユニット側の端子とを接触させることができない。【０００８】
本発明は以上の点を考慮してなされたもので、装置全体の小型化及び省電力化を図るとともにＩＣ接点が破壊されることを回避し、かつ、アクチュエータの取り付け位置を精密に調整しなくともアクチュエータの駆動力を十分に確保し得るＩＣ接点ユニット、ＩＣカード処理装置及び自動取引装置を提案するものである。
【課題を解決するための手段】
【０００９】
かかる課題を解決するために、本発明においては、ＩＣ接点ユニットにおいて、第１の接点端子台と、第２の接点端子台と、弾性部材と、端子台押下部とを備え、第１の接点端子台は、第１のリンク部と、第２のリンク部とを備え、第２の接点端子台は、接点ピンと、爪部と、張架部材とを備え、弾性部材は、張架部材を介して第２の接点端子台に引っ張り力を付勢し、端子台押下部は、第１のアームと、第２のアームと、圧縮ばねとを備え、圧縮ばねは、第２のアームの回転動作が停止するまでは第１のアームの回転動作を第２のアームに伝達し、第２のアームの回転動作が停止した後は第１のアームの回転動作を吸収して収縮することを特徴とする。
【発明の効果】
【００１０】
本発明によれば、装置全体の小型化及び省電力化を図るとともにＩＣ接点が破壊されることを回避し、かつ、アクチュエータの取り付け位置を精密に調整しなくともアクチュエータの駆動力を十分に確保することができる。
【図面の簡単な説明】
【００１１】
【図１】ＩＣカード処理装置の全体構成図である。
【図２】ＩＣ接点ユニットを上方から見たときの上面構成図である。
【図３Ａ】ＩＣカード待機時におけるＩＣ接点ユニットのＡ−Ａ断面構成図である。
【図３Ｂ】ＩＣカード待機時におけるＩＣ接点ユニットのＢ−Ｂ断面構成図である。
【図３Ｃ】ＩＣカード待機時におけるＩＣ接点ユニットのＣ−Ｃ断面構成図である。
【図４Ａ】ＩＣカード係止時におけるＩＣ接点ユニットのＡ−Ａ断面構成図である。
【図４Ｂ】ＩＣカード係止時におけるＩＣ接点ユニットのＢ−Ｂ断面構成図である。
【図４Ｃ】ＩＣカード係止時におけるＩＣ接点ユニットのＣ−Ｃ断面構成図である。
【図５Ａ】ＩＣカード読取時におけるＩＣ接点ユニットのＡ−Ａ断面構成図である。
【図５Ｂ】ＩＣカード読取時におけるＩＣ接点ユニットのＢ−Ｂ断面構成図である。
【図５Ｃ】ＩＣカード読取時におけるＩＣ接点ユニットのＣ−Ｃ断面構成図である。
【図６】ＩＣ接点ユニットの分解斜視図である。
【発明を実施するための形態】
【００１２】
（１）ＩＣカード処理装置の構成
図１は、本実施の形態におけるＩＣカード処理装置１の全体構成を示す。ＩＣカード処理装置１は、ＩＣカードが挿入されると、内部に備えるＩＣ接点ユニット２０を動作させ、ＩＣカードに記録されている取引データ等の可変データを読み書きするように構成される。
【００１３】
ＩＣカード処理装置１は、搬送ローラ１０及びＩＣ接点ユニット２０を備えて構成される。一対の搬送ローラ１０は、カード搬送ラインＸに対して上下に対向配置され、カード搬送ラインＸに沿ってＩＣカードを搬送するように回転する。ここでの搬送ローラ１０は、ＩＣカードを右から左に搬送するように回転していることが示されている。
【００１４】
ＩＣ接点ユニット２０は、カード搬送ラインＸ方向の前後に配置された２組の搬送ローラ１０間に設置され、またカード搬送ラインＸに対して上方向に配置される。ＩＣ接点ユニット２０は、カード搬送ラインＸに沿って搬送されてきたＩＣカードに記録されている可変データを読み書きする。
【００１５】
読み書きに際してＩＣ接点ユニット２０は、ＩＣカードの搬送力を利用して、ＩＣカード側の端子にＩＣ接点ユニット２０側の端子（接点ピン）を押圧して接触させる。以下図２〜図６を参照して、ＩＣ接点ユニット２０の詳細な構成について説明する。
【００１６】
（２）ＩＣ接点ユニット２０の構成
図２は、ＩＣ接点ユニット２０を図１のＹ方向から見たときの上面構成を示す。ＩＣカードは右から左に搬送される。以下、Ａ−Ａ断面、Ｂ−Ｂ断面及びＣ−Ｃ断面の各断面構成の詳細について、図３〜図５を参照して説明する。
【００１７】
（３）ＩＣカード待機時におけるＩＣ接点ユニットの構成
図３Ａ〜図３Ｃは、ＩＣカード待機時におけるＩＣ接点ユニット２０の全体構成を示す。図３Ａは、図２のＡ−Ａ断面を示し、図３Ｂは、図２のＢ−Ｂ断面を示す。また図３Ｃは、図２のＣ−Ｃ断面を示す。以下図３Ａ〜図３Ｃを参照して、ＩＣカード待機時におけるＩＣ接点ユニット２０の構成について説明する。
【００１８】
ＩＣ接点ユニット２０は、アクチュエータ２１、プランジャ２２、端子台押下部２３、第１の接点端子台２４、第２の接点端子台２５、弾性部材２６及び張架部材３１等を備えて構成される。
【００１９】
アクチュエータ２１は、ＩＣカードがカード搬送ラインＸに沿って搬送されてくると、所定のタイミングでプランジャ２２を吸引する。所定のタイミングとは、例えば後述の爪部２５３がＩＣカードの端部を係止可能とするタイミングである。アクチュエータ２１の駆動力（プランジャ２２を吸引する吸引力）は、プランジャ２２の端部が底部に当接するとき最大となる。
【００２０】
プランジャ２２は、アクチュエータ２１に吸引可能に接続される一方で、端子台押下部２３に接続されて構成される。プランジャ２２は、アクチュエータ２１により吸引されると、吸引動作を端子台押下部２３に伝達する。
【００２１】
端子台押下部２３は、プランジャ２２からの吸引動作が伝達されると、プランジャ２２との接続箇所である一端がプランジャ２２の吸引方向に移動する。これに伴い端子台押下部２３は、端子台押下部２３を固定する固定軸を中心として時計回りに回転し、他端が第１の接点端子台２４を押下する。
【００２２】
ここで端子台押下部２３について詳細に説明すると、端子台押下部２３は、第１のアーム２３Ａ、圧縮ばね２３Ｂ、第２のアーム２３Ｃ、第１の回転軸２３Ｄ及び第２の回転軸２３Ｅから構成される。第１のアーム２３Ａは、一端がプランジャ２２に回転可能に接続されており、プランジャ２２が吸引されると、第１の回転軸２３Ｄを軸として時計回りに回転する。
【００２３】
第１のアーム２３Ａの他端には圧縮ばね２３Ｂが接続されており、圧縮ばね２３Ｂは、第１のアーム２３Ａの回転動作を第２のアーム２３Ｃに伝達するように第１のアーム２３Ａと第２のアーム２３Ｃとを接続する。よって第１のアーム２３Ａが時計回りに回転すると、第２のアーム２３Ｃも第１の回転軸２３Ｄを軸として時計回りに回転する。
【００２４】
第２のアーム２３Ｃは、第１のアーム２３Ａとともに時計回りに回転する際、押圧ローラ２３１Ｃを回転させながら第１の接点端子台２４の端部を押下する。この押圧ローラ２３１Ｃが回転しながら第１の接点端子台２４を押下することにより、第２のアーム２３Ｃと第１の接点端子台２４との接触部分の摩耗を抑制することができる。
【００２５】
第２のアーム２３Ｃは、ブラケット３０に形成されているストッパ３２の位置まで回転すると、このストッパ３２により回転を停止する。第２のアーム２３Ｃはストッパ３２により回転を停止するが、第１のアーム２３Ａは、アクチュエータ２１の駆動力により更にプランジャ２２の吸引動作が継続する場合、すなわちプランジャ２２の端部がアクチュエータ２１内の底部近傍に到達していない場合、第２の回転軸２３Ｅを軸として更に時計回りに回転する。
【００２６】
第１のアーム２３Ａは、プランジャ２２の吸引動作が停止するか、或いは、圧縮ばね２３Ｂの圧縮範囲が限界値に到達すると、第２の回転軸２３Ｅを軸とした時計回りの回転動作を停止する。このように端子台押下部２３は、プランジャ２２の吸引動作に伴って第２のアーム２３Ｃをストッパ３２の位置まで回転させ、更にプランジャ２２の吸引動作が継続する場合には吸引動作による力を吸収するために第１のアーム２３Ａを微小回転させる。
【００２７】
これにより、アクチュエータ２１はプランジャ２２を底部近傍まで吸引することができる。プランジャ２２を底部近傍まで吸引することにより、アクチュエータ２１の駆動力を十分に確保することができる。
【００２８】
第１の接点端子台２４は、端子台押下部２３により押下される前は、第１のリンク部Ｌ１、第２のリンク部Ｌ２及びブラケット３０等により、カード搬送ラインＸ方向と接点ピン２５１との間の距離を所定の距離θ１だけ維持した状態で回転可能に固定される。これに対し、第１の接点端子台２４は、端子台押下部２３により押下されると、第１のリンク部Ｌ１を回転軸として反時計回りに回転する。
【００２９】
第１の接点端子台２４の中央部には、第２の接点端子台２５の設置領域が形成されている。また一端には第１のリンク部Ｌ１が形成されており、他端には第２のリンク部Ｌ２が形成される。第１の接点端子台２４は、第１のリンク部Ｌ１を回転軸として反時計回りに回転する際、第２のリンク部Ｌ２を介して、回転動作を第２の接点端子台２５に伝達する。
【００３０】
第２の接点端子台２５は、ＩＣカードに記録されている可変データを実際に読み書きする接点ピン２５１を中央部に備えて構成されており、一端には爪部２５３が形成される。第２の接点端子台２５は、第２のリンク部Ｌ２を介して第１の接点端子台２４に接続される。また他端には張架部材２５２が形成されており、この張架部材２５２には弾性部材２６が張架される。
【００３１】
第２の接点端子台２５は、第２のリンク部Ｌ２を介して第１の接点端子台２４からの回転動作が伝達されると、張架部材２５２に弾性部材２６が張架された状態のまま、第１の接点端子台２４とともに反時計回りに回転する。このとき爪部２５３がカード搬送ラインＸよりも下方に移動する。
【００３２】
弾性部材２６は、ＩＣカード待機時においてカード搬送ラインＸ方向と略平行かつＩＣカードの搬送方向とは逆方向に付勢力が働くように設置され、第２の接点端子台２５の端部である張架部材２５２と、ブラケット３０に形成される他の張架部材３１との間に張架される。弾性部材２６は、張架部材２５２を介して第２の接点端子台２５を右方向に引っ張る力を付勢する。なお弾性部材２６は、例えばスプリングコイルである。
【００３３】
（４）ＩＣカード係止時におけるＩＣ接点ユニットの構成
図４Ａ〜図４Ｃは、ＩＣカード係止時におけるＩＣ接点ユニット２０の全体構成を示す。図４Ａは、図２のＡ−Ａ断面を示し、図４Ｂは、図２のＢ−Ｂ断面を示す。また図４Ｃは、図２のＣ−Ｃ断面を示す。以下図４Ａ〜図４Ｃを参照して、ＩＣカード係止時におけるＩＣ接点ユニット２０の構成について説明する。
【００３４】
ＩＣ接点ユニット２０は、ＩＣカードがカード搬送ラインＸに沿って搬送されてくると、所定のタイミングでアクチュエータ２１がプランジャ２２を吸引する。プランジャ２２の吸引動作に伴い、端子台押下部２３が時計回りに回転して第１の接点端子台２４を押下する。第２のアーム２３Ｃの押圧ローラ２３１Ｃがストッパ３２の位置まで回転すると、第２のアーム２３Ｃは回転動作を停止する。
【００３５】
このときアクチュエータ２１の吸引動作が継続する場合、すなわちプランジャ２２の端部がアクチュエータ２１内の底部近傍に到達していない場合、第１のアーム２３Ａは第２の回転軸２３Ｅを軸として時計回りに回転動作する。
【００３６】
第１の接点端子台２４が第１のリンク部Ｌ１を軸として反時計回りに回転すると、第２の接点端子台２５は第２のリンク部Ｌ２により反時計回りの力が付勢される。そして第２の接点端子台２５も、反時計回りに回転する。その結果、爪部２５３がカード搬送ラインＸの下方に移動する。
【００３７】
爪部２５３がカード搬送ラインＸの下方に移動した状態において、第１の接点端子台２４は、カード搬送ラインＸに対して略水平の状態を維持する。すなわちＩＣカード係止時における第１の接点端子台２４は、カード搬送ラインＸ方向に対する角度を０に維持した状態となる。この状態においてＩＣカードがカード搬送ラインＸに沿って搬送されてくると、第２の接点端子台２５は、ＩＣカードの端部を爪部２５３により係止する。
【００３８】
第１の接点端子台２４が反時計回りに回転することに伴って第２の接点端子台２５も同様に反時計回りに回転することになるが、第２の接点端子台２５は、第１の接点端子台２４と異なり、張架部材２５２を介して弾性部材２６により右方向に引っ張られた状態のまま回転する。回転後の第２の接点端子台２５には、右方向及び上方向（右斜め上方向）の力が付勢された状態となる。
【００３９】
その結果、ＩＣカード係止時における第２の接点端子台２５は、カード搬送ラインＸ方向に対して所定の角度を維持した状態で固定されることになる。よってＩＣカード係止時における接点ピン２５１と、カード搬送ラインＸとの間の距離（退避量）を一定の距離θ２だけ離した状態とすることができる。
【００４０】
カード搬送ラインＸからの接点ピン２５１の退避量を大きくすることで、ＩＣカードに反り上がり、歪み又は割れ等の異常部分がある場合であっても、ＩＣカード搬送時に異常部分が接点ピン２５１に干渉して接点ピン２５１を破壊することを防止することができる。
【００４１】
（５）ＩＣカード読取時におけるＩＣ接点ユニットの構成
図５Ａ〜図５Ｃは、ＩＣカード読取時におけるＩＣ接点ユニット２０の全体構成を示す。図５Ａは、図２のＡ−Ａ断面を示し、図５Ｂは、図２のＢ−Ｂ断面を示す。また図５Ｃは、図２のＣ−Ｃ断面を示す。以下図５Ａ〜図５Ｃを参照して、ＩＣカード読取時におけるＩＣ接点ユニット２０の構成について説明する。
【００４２】
ＩＣ接点ユニット２０は、爪部２５３によりＩＣカードを係止すると、ＩＣカードの搬送力を受ける。その結果、第２の接点端子台２５が左方向に移動する。なお第１の接点端子台２４も第２のリンク部Ｌ２を介して左方向に移動する。
【００４３】
第２の接点端子台２５は、ＩＣカードからの搬送力を受けると、張架部材２５２に弾性部材２６が張架された状態のまま、左方向に移動する。このとき第２の接点端子台２５に形成されている案内軸２５４がガイドローラ３４に当接し、その後第２の接点端子台２５が更に左方向に移動すると、案内軸２５４がガイドローラ３４の時計回りの回転に沿って左下方向に案内される。
【００４４】
案内軸２５４がガイドローラ３４に沿って左斜め下方向に案内されると、第２の接点端子台２５は、弾性部材２６により付勢されている右斜め上方向の力に抗って、張架部材２５２側の端部が下方に押し込まれる。その結果、接点ピン２５１がＩＣカードに押圧されて接触する。接点ピン２５１は、このときはじめてＩＣカードに接触することになる。
【００４５】
ＩＣ接点ユニット２０には、第１の接点端子台２４の左方向の移動を制限する凸部２４１及びガイド溝３３が形成されており、これら凸部２４１及びガイド溝３３の制限を受けて、第１の接点端子台２４は所定の位置まで左方向に移動した後、停止する。第２の接点端子台２５は、第２のリンク部Ｌ２により第１の接点端子台２４に接続されていることから、第１の接点端子台２４の停止に伴って停止する。
【００４６】
この後、接点ピン２５１を介してＩＣカードに記録されている可変データの読み書きが行われることになる。
【００４７】
（６）ＩＣ接点ユニットの斜視構成
図６は、ＩＣ接点ユニット２０の分解斜視図である。ここでは図示されている部材を左から順に説明する。
【００４８】
第２の接点端子台２５は、中央部に接点ピン２５１を備える。接点ピン２５１は、ＩＣカード待機時及びＩＣカード係止時にはＩＣカードに接触せず（図３及び図４）、ＩＣカード読取時において初めてＩＣカードに接触する（図５）。
【００４９】
第２の接点端子台２５の端部には、張架部材２５２が形成される。張架部材２５２には弾性部材２６が張架される。この弾性部材２６は、第２の接点端子台２５に対して常時引っ張り力を付勢する。また第２の接点端子台２５の両側には案内軸２５４が形成される。案内軸２５４は、ＩＣカード読取時においてガイドローラ３４に案内され、第２の接点端子台２５を下方に押し込む。
【００５０】
第１の接点端子台２４は、中央部に第２の接点端子台２５の設置領域を備える。この設置領域内において第２の接点端子台２５は回転動作することになる（図３〜図５）。また第１の接点端子台２４の端部には、第２のリンク部Ｌ２及び第１のリンク部Ｌ１が形成される。第２のリンク部Ｌ２は、第２の接点端子台２５を回転可能に接続する。
【００５１】
第１のリンク部Ｌ１は、ブラケット３０のガイド溝３３（ここでは図示省略）に係合し、ＩＣカード待機時から係止時に至る際（図３及び図４）、第１の接点端子台２４をブラケット３０に回転可能に接続する。一方でＩＣカード読取時の際には（図５）、ガイド溝３３に沿って第１の接点端子台２４が移動するように第１の接点端子台２４をブラケット３０に接続する。
【００５２】
端子台押下部２３は、第１の接点端子台２４に実際に当接して押下する押圧ローラ２３１Ｃと、この押圧ローラ２３１Ｃを備える第２のアーム２３Ｃと、圧縮ばね２３Ｂと、第１のアーム２３Ａとを備える。第１のアーム２３Ａは、プランジャ２２の吸引動作に伴って第１の回転軸２３Ｄを軸として回転する。
【００５３】
第１のアーム２３Ａが回転すると、回転動作が圧縮ばね２３Ｂを介して第２のアーム２３Ｃに伝達される。第２のアーム２３Ｃは圧縮ばね２３Ｂからの押圧力を受けて、第１の回転軸２３Ｄを軸として第１のアーム２３Ａと同方向に回転する。
【００５４】
第２のアーム２３Ｃの押圧ローラ２３１Ｃがストッパ３２（ここでは図示省略）に当接し、回転動作が停止した後もプランジャ２２の吸引動作が継続する場合、第１のアーム２３Ａは第２の回転軸２３Ｅを軸として微小回転する。第１のアーム２３Ａが微小回転することにより、アクチュエータ２１はプランジャ２２を吸引可能な最大範囲まで吸引することができる。よってアクチュエータ２１の駆動力を十分に発揮させることができる。
【００５５】
端子台押下部２３が第１の接点端子台２４を押下することにより第１の接点端子台２４が回転動作し、この回転動作に伴い第２の接点端子台２５も回転動作する。そして爪部２５３により、搬送されてくるＩＣカードを係止することができる。第２の接点端子台２５は、爪部２５３によりＩＣカードを係止した後、ＩＣカードの搬送力を受けてカード搬送ラインＸに移動する。第２の接点端子台２５は、所定の位置まで移動した後、接点ピン２５１をＩＣカードに押圧して、ＩＣカードに記録されている可変データの読み書きを行う。
【００５６】
（７）本実施の形態による効果
以上のように本実施の形態におけるＩＣ接点ユニット２０によれば、アクチュエータ２１は爪部２５３をカード搬送ラインＸの下方に移動させる程度の駆動力をもった小型のものでよく、装置全体の小型化及び消費電力の低減を図ることができる。また接点ピン２５１を備える第２の接点端子台２５の一端を第２のリンク部Ｌ２を介して第１の接点端子台２４に回転可能に接続し、他端を弾性部材２６により引っ張るようにしたので、ＩＣカード待機時及び係止時における接点ピン２５１の退避量を大きくすることができる。よって装置全体の小型化及び省電力化を図りつつ、接点ピン２５１が破壊されることを回避することができる。更には端子台押下部２３を備え、第１の接点端子台２４を完全に押下した後もプランジャ２２の吸引力を吸収する構造を採用したので、取り付け位置を精密に調整しなくともアクチュエータ２１の駆動力を十分に確保することができる。
【符号の説明】
【００５７】
１      ＩＣカード処理装置
２０    ＩＣ接点ユニット
２１    アクチュエータ
２２    プランジャ
２３    端子台押下部
２４    第１の接点端子台
２５    第２の接点端子台
２５１  接点ピン
２５２  張架部材
２５３  爪部
２５４  案内軸
２６    弾性部材
３０    ブラケット
３１    張架部材
３２    ストッパ
３３    ガイド溝
３４    ガイドローラ
Ｌ１    第１のリンク部
Ｌ２    第２のリンク部
【図１】
2016163145.tif 000003
【図２】
2016163145.tif 000004
【図３Ａ】
2016163145.tif 000005
【図３Ｂ】
2016163145.tif 000006
【図３Ｃ】
2016163145.tif 000007
【図４Ａ】
2016163145.tif 000008
【図４Ｂ】
2016163145.tif 000009
【図４Ｃ】
2016163145.tif 000010
【図５Ａ】
2016163145.tif 000011
【図５Ｂ】
2016163145.tif 000012
【図５Ｃ】
2016163145.tif 000013
【図６】
2016163145.tif 000014
【国際調査報告】
2016163145.tif 000015
2016163145.tif 000016